(57)【要約】【目的】  シャープペンシルやボールペンといった筆記用具に関し、筆記軸上端部分などの専用空間に収容せしめたアロマ香気材料からの各種効果を備えた香気を鼻から実際に吸引する際に効率的に吸出し可能となるような特別な機構を備えた筆記具を提供する。【構成】  ボールペンやシャープペンシルといった筆記具２の筆記軸上端部に取り付けられる吸気孔５と排気孔６を有する部材であり、内部に各種アロマ効果を持った香り発生材９を収容する空間１１を有し、吸気孔５から取り込まれる空気が香り発生材収容空間１１を経由して排気孔６から吸い出されることで香りを帯びた空気１０となり、さらに密着性のあるキャップ４で排気孔６を覆うことで香りの漏出を防止できるようにされたアロマ香気吸出し機能を備えた筆記用具である。【選択図】        図１
2008213217.tif 000002
【特許請求の範囲】
【請求項１】
ボールペンやシャープペンシルといった筆記具の筆記軸上端部に取り付けられる吸気孔と排気孔を有する部材であり、内部に各種アロマ効果を持った香り発生材を収容する空間を有し、吸気孔から取り込まれる空気が香り発生材収容空間を経由して排気孔から吸い出されることで香りを帯びた空気となり、さらに密着性のあるキャップで排気孔を覆うことで香りの漏出を防止できるようにされたことを特徴とするアロマ香気吸出し機能を備えた筆記用具。
【請求項２】
香り発生材を任意に交換可能なものとしたことを特徴とする請求項１に記載のアロマ香気吸出し機能を備えた筆記用具。
【請求項３】
香り発生材がアロマ効果毎に色分けした所定の着色を施した球形粒状材であり、香り発生材収容空間に収容された状態においても外部から観察できるようにされていることを特徴とする請求項１または請求項２に記載のアロマ香気吸出し機能を備えた筆記用具。
【請求項４】
香り発生材の有するアロマ効果が眠気防止、リラックス、高揚、安眠、気付けなどといった諸効果であり、各効果毎に区分けした所定サイズの球形粒状材であることを特徴とする請求項１〜請求項３の何れか１つに記載のアロマ香気吸出し機能を備えた筆記用具。
【発明の詳細な説明】
【技術分野】
【０００１】
本発明は、シャープペンシルやボールペンといった筆記用具に関し、筆記軸上端部分などの専用空間に収容せしめたアロマ香気材料からの各種効果を備えた香気を鼻から実際に吸引する際に効率的に吸出し可能となるような特別な機構を備えた筆記具に関するものである。
【背景技術】
【０００２】
筆記具などの文房具類に対して適当な香気を生じることができるようにする工夫はそれなりに行われてきている。すなわち、香り物質を練り込んだ消しゴムを筆記軸頂端に取付けたり、筆記軸の塗装コーティングに香り材料を混ぜ込むようなことが行われている。
【０００３】
また、筆記具の筆記軸を構成する弾性体に香気性物質を練り込んで製品化する技術に関して以下の文献がある。
【特許文献１】特開２００４−２５６６５１号公報
【発明の開示】
【発明が解決しようとする課題】
【０００４】
しかし、上記のような従来のものは単に筆記具から適当な香気が漂い出るといった程度のものであり、特定のアロマ効果を狙って香気が鼻などから効率的に吸引されるように技術的に配慮したものとはなっていない。
【０００５】
また、上記特許文献１においても、香気の吸引をコントロール可能とするという発想がなされていないので、周囲にも香気が広がることを制御できず、したがって、万人受けする香り物質を適度に採用するのみで、特定の目的効果に特化したアロマ香気を採用させることは困難であった。
【課題を解決するための手段】
【０００６】
本発明は、上記したような課題を解決すべく検討を重ねた結果として得られたものであり、特定のアロマ効果に適した香り物質材料であっても有効且つ効率的に機能させることができ、鼻などからの吸引を積極的に補助する新構造を持った各種筆記具を提案するものであり、具体的には以下のごとくである。
【０００７】
（１）  ボールペンやシャープペンシルといった筆記具の筆記軸上端部に取り付けられる吸気孔と排気孔を有する部材であり、内部に各種アロマ効果を持った香り発生材を収容する空間を有し、吸気孔から取り込まれる空気が香り発生材収容空間を経由して排気孔から吸い出されることで香りを帯びた空気となり、さらに密着性のあるキャップで排気孔を覆うことで香りの漏出を防止できるようにされたことを特徴とするアロマ香気吸出し機能を備えた筆記用具。
【０００８】
（２）  香り発生材を任意に交換可能なものとしたことを特徴とする前記（１）項に記載のアロマ香気吸出し機能を備えた筆記用具。
【０００９】
（３）  香り発生材がアロマ効果毎に色分けした所定の着色を施した球形粒状材であり、香り発生材収容空間に収容された状態においても外部から観察できるようにされていることを特徴とする前記（１）項または（２）項に記載のアロマ香気吸出し機能を備えた筆記用具。
【００１０】
（４）  香り発生材の有するアロマ効果が眠気防止、リラックス、高揚、安眠、気付けなどといった諸効果であり、各効果毎に区分けした所定サイズの球形粒状材であることを特徴とする前記（１）項〜（３）項の何れか１つに記載のアロマ香気吸出し機能を備えた筆記用具。
【発明の効果】
【００１１】
ボールペンやシャープペンシルといった筆記具の筆記軸上端部に取り付けられる吸気孔と排気孔を有する部材であり、内部に各種アロマ効果を持った香り発生材を収容する空間を有し、吸気孔から取り込まれる空気が香り発生材収容空間を経由して排気孔から吸い出されることで香りを帯びた空気となり、さらに密着性のあるキャップで排気孔を覆うことで香りの漏出を防止できるようにされたことにより、各種のアロマ効果を持った香気を任意の場所で集中的に吸引して周囲を気にかけることなくアロマ効果を享受することができるようになる。
【００１２】
すなわち、香気によるアロマ効果を適切に得るためにはそれなりの濃さで鼻孔から吸い込む必要があるので、香り発生材を鼻孔の近くに持ってくる必要がある。また、必要な香気を含んだ空気を効率的に鼻孔から吸引させるためには、より多くの香気を発生させるべく香り発生材に多くの空気が当るように配慮すべきことになるのである。
【００１３】
このために本発明では、香り発生材収容部に鼻孔からの香気吸引に対応するための排気孔を設けると共に収容部に外部からの空気を効率的に取り込ませるための吸気孔をも設けたのである。
【００１４】
さらに、アロマ香気が無駄に周囲に漏出することを防止するために吸引の必要がないときには密着性の高いキャップ構造によって吸気孔や排気孔を塞ぐ構造としているのである。
【００１５】
香り発生材を任意に交換可能なものとしたことにより、様々な効果を持ったアロマ香気発生材を複数種類任意に取り替えながら使用することができるようになる。
【００１６】
すなわち、そのときの健康状態や気分その他の条件によって求められるアロマ香気は多様に変わり得るものと考えられ、１種類の香気だけでなく任意に選択可能な複数種類のアロマ香気を利用できるようにしておくことが望まれるのである。好みに応じて複数種類のアロマ香気発生材を混合してオリジナルなアロマ香気を合成させることも可能である。
【００１７】
香り発生材がアロマ効果毎に色分けした所定の着色を施した球形粒状材であり、香り発生材収容空間に収容された状態においても外部から観察できるようにされていることにより、吸引できるアロマ香気の種類が視覚的に確認可能であり、香り発生材を交換する際にも間違えることがないようにすることができるようになる。
【００１８】
香り発生材の有するアロマ効果が眠気防止、リラックス、高揚、安眠、気付けなどといった諸効果であり、各効果毎に区分けした所定サイズの球形粒状材であることにより、効果に応じた香り発生材を適切に選んで使用することが容易に実現できることになる。もちろん、状況に応じた交換などを行う場合にも便利である。
【発明を実施するための最良の形態】
【００１９】
上記してきたような本発明の具体的な実施形態の幾つかを、添付図面等を利用しながら以下において説明する。
図１は、本発明のアロマ香気吸出し機能１を備えた筆記用具２の一般的が外観とその内部構造の１例を示した図面である。すなわち、本発明の筆記用具２としての外観は一般的なボールペンやシャープペンシルと特別な差異はないものとなっている(図示のものはボールペン)。
【００２０】
アロマ香気吸出し機構１は筆記用具２の筆記軸頂端部３に備え付けられ、アロマ香気を吸引する場合にはこの頂端部３を使用者の鼻孔近くに持って行き、キャップ４をつまみ上げて吸気孔５、排気孔６を露出せしめて香気を吸い込むものである。
【００２１】
筆記部先端７の出没操作は、アロマ香気吸出し機構１への操作の支障とならないように配慮して、クリップ部８への上下操作により行うサイドノック方式を採用することが望ましい。
【００２２】
キャップ４をつまみ上げて吸気孔５、排気孔６を開き、鼻孔をアロマ香気吸出し機構１の側に近づけ、鼻孔から息を吸い込むことで香り発生材９による香りを帯びたアロマ香気１０が排気孔６から吸引されて鼻孔を通じて使用者の体内に取り込まれることになる。このとき、下方の吸気孔５から外気が機構１内に吸い込まれることになるので、必要とされるアロマ香気１０が鼻孔から吸引された量に応じて生成されることになるのである。
【００２３】
キャップ４は取り外し可能なものであり、これを取り外すことで香り発生材収容部１１に各種の香り発生材９を適宜に出し入れ交換等することができるようになるのである。香り発生材９は粒形状のものとされ、好ましくは球形状を採用すべきである。吸気孔５や排気孔６からこぼれる事がないように、これらの各孔５、６よりも大きな直径サイズとなるように選択されることになる。
【００２４】
キャップ４の取り外し操作によってアロマ香気１０を生成するための香り発生材９は任意の交換が可能であるから、好みや状況、その他の使用目的に応じた適切なアロマ香気１０を発生するための香り発生材９が利用可能である。
たとえば、混雑した通勤通学電車中での周囲の臭いが不快であるような場合には、清涼感のあるアロマ香気１０を生じる香り発生材９を利用し、緊張感を和らげる必要があるような場合には沈静作用のあるアロマ香気１０を生じる香り発生材９を選択するなどといった利用形態が可能となるのである。
【００２５】
本発明においてはアロマ香気１０は使用者の鼻孔からの息の吸い込みによって機構１の排気孔６から外部に放出されるものであり、そのほとんど全てが使用者の鼻孔から吸引されることになる。したがって、使用者以外の周囲の他者にアロマ香気１０が吸い込まれることはほとんどあり得ないことになるのである。
【００２６】
このようなものであることから、本発明においては周囲の他者に気兼ねすることなく自分の好みのアロマ香気１０やその状況において必要としているアロマ香気１０を適時に吸引して目的を達成することができるのである。
【００２７】
また、図２にあるように、キャップ４を押し下げて吸気孔５、排気孔６を密着性高く塞ぐことで不使用時におけるアロマ香気１０の漏れ出しをほぼ完全に防止することが可能となっているので、不使用時においても周囲の他者への気遣いが必要とされない。
【００２８】
香り発生材９は、直径３mm前後の球形粒状とし、収容部１１に２、３個程度は保持できるようにする。収容する個数でアロマ香気１０の濃度を調整したり、異なる種類の香り発生材９を組合せてブレンド効果などを実現できるようにするためである。
【００２９】
アロマ香気１０を生成する香り発生材９はその目的効果に応じて好ましいアロマ効果を実現できるように複数種類用意されるべきことは上記したとおりであるが、香り発生材９自体は略同一形状で製造されることから、これらを見分けるための配慮が必要である。そこで香りの種類に応じた適宜な着色を施すことが考えられる。
【００３０】
すなわち、清涼感のある香りにはブルー系、沈静作用のある香りにはグリーン系、活力を呼び覚ます香りにはレッド系、スパイスの効いた香りにはイエロー系などといった色分けが可能で、実際の使用に際してもイメージと香りを一致させることができるので好ましい。
このような香り発生材９を目的に応じて複数種類組み合わせて携帯保持できるような専用ケースなども考えることが可能である。
【００３１】
香り発生材9による具体的なアロマ効果としては、例えば、眠気防止、リラックス、高揚、安眠、気付けなどといった諸効果が考えられる。ここで、上記のように本発明では発生するアロマ後期１０のほとんどが実際の使用者の鼻孔により吸引されることになるので、周囲に各種目的に特化したアロマ香気１０が漏出する心配はほとんどない。したがって、所望のアロマ効果を得るために実際の各使用者にとって最適と思われる香りを選択・合成しても回りに迷惑がかかるといった心配をする必要がなく、もっとも効果的且つ効率的にアロマ効果を実現することができるのである。
【産業上の利用可能性】
【００３２】
以上説明してきたような本発明のアロマ香気吸出し機能を備えた筆記用具によれば、必要とするアロマ香気を、場所を選ばず周囲に気兼ねすることなしで随時に鼻孔から吸引して好ましいアロマ効果を手軽に得ることが可能となるものである。
しかも、外観上何ら特別なものとならない筆記用具を利用してシンプルな構造で低コストに実現可能なものであるから、既存の市場に新たな需要を生み出すものとして産業上の利用可能性において優れた発明であると理解されるべきである。
【図面の簡単な説明】
【００３３】
【図１】本発明のアロマ香気吸出し機能を備えた筆記用具について、その外観や内部構造を使用状況に従って説明する図面である。
【図２】アロマ香気吸出し機構の内部構造をキャップの開閉動作と合わせて示した断面図的構造図面である。
【符号の説明】
【００３４】
１  アロマ香気吸出し機構
２  筆記用具
３  頂端部
４  キャップ
５  吸気孔
６  排気孔
７  筆記部先端
８  クリップ部
９  香り発生部材
１０  アロマ香気
１１  収容部
【図１】
2008213217.tif 000003
【図２】
2008213217.tif 000004